(57)【要約】【課題】半身浴に適した浴槽水位や湯温の自動設定を可能にした給湯・追焚装置を提供すること。【解決手段】リモコン装置２０からの指令に基づき、浴槽８の湯張り機能又は浴槽水の追焚き機能を備えた給湯・追焚装置２であって、全身浴と半身浴に応じて浴槽水位又は湯温を設定する設定手段（設定スイッチ１７８）と、リモコン装置に設置されて全身浴に対応した湯張りを指令する湯張りスイッチ（ふろ自動スイッチ１８６）と、リモコン装置に設置されて、半身浴に対応する湯張りを指令する半身浴スイッチ（メニューボタン１８０、開始ボタン１８２）と、湯張りスイッチの操作により、設定手段で設定された全身浴に対応した湯張り及び湯温に制御し、半身浴スイッチの操作により、設定手段で設定された半身浴入浴に対応した湯張り及び湯温に制御する制御手段（本体コントローラ６）とを備えた構成である。【選択図】        図５
2004325043.tif 000002
【特許請求の範囲】
【請求項１】
リモコン装置からの指令に基づき、浴槽の湯張り機能又は浴槽水の追焚き機能を備えた給湯・追焚装置であって、
全身浴と半身浴に応じて浴槽水位又は湯温を設定する設定手段と、
前記リモコン装置に設置されて全身浴に対応した湯張りを指令する湯張りスイッチと、
前記リモコン装置に設置されて、半身浴に対応する湯張りを指令する半身浴スイッチと、
前記湯張りスイッチの操作により、前記設定手段で設定された全身浴に対応した湯張り及び湯温に制御し、前記半身浴スイッチの操作により、前記設定手段で設定された半身浴入浴に対応した湯張り及び湯温に制御する制御手段と、
を備えたことを特徴とする給湯・追焚装置。
【請求項２】
前記制御手段は、全身浴と半身浴とを浴槽水位及び湯温を異なる設定範囲に自動設定することを特徴とする請求項１記載の給湯・追焚装置。
【発明の詳細な説明】
【０００１】
【発明の属する技術分野】
本発明は、自動湯張り機能を備える給湯・追焚装置に関し、自動給湯時、半身浴設定で所望の水位及び湯温に設定可能な給湯・追焚装置に関する。
【０００２】
【従来の技術】
自動湯張り機能を備える給湯・追焚装置は、予め湯温や浴槽水位を設定することができ、浴槽に対する給湯はその設定湯温及び設定水位に浴槽水位及び湯温を制御する機能を備えているとともに、給湯後、湯温や水位の変化を監視し、快適な入浴ができるように浴槽水位に給湯し、保温する機能を備えている。
【０００３】
ところで、入浴方法には全身浴や半身浴があり、通常、浴槽内水位は全身浴に対応した水位が設定されており、半身浴は入浴者が調整する方法が一般的である。このような半身浴や全身浴に対応する入浴方法に関する先行特許文献には次のようなものがある。
【０００４】
【特許文献１】
特開２００２−２６７２５５号公報
【０００５】
【特許文献２】
特開２００２−３６０６５３号公報
【０００６】
【特許文献３】
特開平６−２３５５５１号公報
【０００７】
特許文献１には、全身浴か半身浴かの選択に応じた浴槽内水位を自動調整する風呂装置が開示され、特許文献２には半身浴か全身浴かの入浴方法の選択に対応した入浴条件の設定が可能な浴室設備について開示され、また、特許文献３には、入浴者によって入浴温度や水位等の入浴条件を自動設定する風呂制御装置が開示されている。
【０００８】
【発明が解決しようとする課題】
ところで、従来の給湯・追焚装置では、自動湯張り時、水位及び湯温は任意に設定することが可能であるが、好みにより設定を変更するには一定の手順が必要であり、入浴者がその設定を変更するには煩わしいものである。
【０００９】
半身浴では浴槽水位を低く設定し、全身浴水位とは全く別個に設定する必要がある。そのため、入浴者が水位が高いと感じたとき、応急措置として浴槽の排水栓を抜き、浴槽水を排出させる水位調節が必要である。このような水位調節を行うと、給湯・追焚装置が保温・足し湯モードである場合、自動的に足し湯が行われ、設定水位に浴槽水位が復帰し、半身浴ができないおそれがある。入浴者はその自動湯張り動作における保温動作を予めＯＦＦする必要があるが、このような動作モードに配慮することは非常に面倒である。
【００１０】
特許文献１に記載された風呂装置では排水制御によって半身浴に適する浴槽水位に制御することを開示したにすぎず、特許文献２に記載された浴室設備では半身浴に適する湯温や入浴時間等の入浴条件を制御することを開示したにすぎない。また、特許文献３に記載された風呂制御装置では、入浴者の好みの入浴条件を設定しているにすぎず、半身浴についての制御を行うものではない。
【００１１】
そこで、本発明は、半身浴に適した浴槽水位や湯温の自動設定を可能にした給湯・追焚装置を提供することを目的とする。
【００１２】
【課題を解決するための手段】
上記目的を達成するため、本発明の給湯・追焚装置は、リモコン装置２０からの指令に基づき、浴槽８の湯張り機能又は浴槽水の追焚き機能を備えた給湯・追焚装置２であって、全身浴と半身浴に応じて浴槽水位又は湯温を設定する設定手段（設定スイッチ１７８）と、前記リモコン装置に設置されて全身浴に対応した湯張りを指令する湯張りスイッチ（ふろ自動スイッチ１８６）と、前記リモコン装置に設置されて、半身浴に対応する湯張りを指令する半身浴スイッチ（メニューボタン１８０、開始ボタン１８２）と、前記湯張りスイッチの操作により、前記設定手段で設定された全身浴に対応した湯張り及び湯温に制御し、前記半身浴スイッチの操作により、前記設定手段で設定された半身浴入浴に対応した湯張り及び湯温に制御する制御手段（本体コントローラ６）とを備えたことを特徴とする。
【００１３】
係る構成とすれば、設定手段により浴槽水位や湯温が全身浴又は半身浴に応じて制御手段に設定される。そこで、湯張りスイッチにより湯張りを指令すると、全身浴に応じた湯張り及び湯温設定が行われ、半身浴スイッチにより半身浴を指令すると、半身浴に応じた湯張り及び湯温に制御される。
【００１４】
上記目的を達成するためには、前記制御手段は、全身浴と半身浴とを浴槽水位及び湯温を異なる設定範囲に自動設定する構成としてもよい。
【００１５】
【発明の実施の形態】
本発明の実施形態を図１を参照して説明する。図１はその実施形態に係る給湯・追焚装置の概要を示している。
【００１６】
給湯・追焚装置２は、給湯・追焚装置本体４と、給湯制御部を構成する本体コントローラ６とを備え、浴槽８への給湯、シャワーその他の一般給湯を行うとともに、浴槽８内の浴槽水ＢＷの追焚きを行う。給湯・追焚装置本体４には給水Ｗが水道管等により導びかれ、給湯要求時、温水ＨＷが給湯管に供給される。また、この給湯・追焚装置本体４と浴槽８の循環口１０との間には循環路１２が往管１４及び戻り管１６で構成され、浴槽８への給湯又は給水はこれら往管１４又は戻り管１６を通じて行われ、浴槽水ＢＷの追焚きは循環路１２を通じて行われる。本体コントローラ６は給湯や追焚き等の制御を行う手段であり、本体コントローラ６の操作は通信ケーブル１８を通じてリモコン装置２０により行われる。リモコン装置２０は設置場所に応じて例えば、浴室リモコン２２、台所リモコン２４、その他、増設リモコン２６で構成される。
【００１７】
給湯・追焚装置本体４には、例えば、図２に示すように、給湯用熱交換器２８、風呂用熱交換器３０等が設置され、給湯用熱交換器２８にはバーナ３２、風呂用熱交換器３０にはバーナ３４が設置され、各バーナ３２、３４には燃料用ガスＧが供給されるが、この燃料用ガスＧのガス供給管３６には、切替え、調整等の手段として、上流側からガス元弁３８、ガス比例弁４０、給湯ガス弁４２、給湯ガス切替弁４４、ふろガス弁４６が設けられている。各バーナ３２、３４には共通の給気ファン４８が設置され、個別にフレームロッド５０、５２、イグナイタ５３、５５が設置されている。
【００１８】
入水管５４には入水温度センサ５６、給水量センサ５８、熱交換器２８の出湯側管路６０には、熱交温度センサ６２、出湯温度センサ６４、水制御弁６６、熱交換器２８のバイパス管路にはバイパス水制御弁７０、出湯側管路６０と戻り管１６との間の出湯管７２には、注湯電磁弁７４、注水量センサ７６、逆止弁７８、戻り管１６にはポンプ８０、切替弁８２、水位センサ８４、ふろ戻り温度センサ８６が設置されている。ポンプ８０にはポンプ流水スイッチ８８が設置され、切替弁８２には切替弁開リミットスイッチ８２Ａ、切替弁閉リミットスイッチ８２Ｂが設置されている。水位センサ８４は戻り管１６に作用する浴槽水ＢＷの圧力により、浴槽水ＢＷの水位を検出する。
【００１９】
本体コントローラ６は、例えば、図３に示すように、制御手段及び演算手段としてＣＰＵ（Ｃｅｎｔｒａｌ  Ｐｒｏｃｅｓｓｉｎｇ  Ｕｎｉｔ  ）９０、記憶手段としてＲＯＭ（Ｒｅａｄ−Ｏｎｌｙ  Ｍｅｍｏｒｙ）９２、ＲＡＭ（Ｒａｎｄｏｍ−Ａｃｃｅｓｓ  Ｍｅｍｏｒｙ）９４、クロック回路９６、送受信回路９８、電源回路１００、インターフェイス回路（Ｉ／Ｆ）１０２、１０４、１０６、１０８、１１０、１１２、１１４、１１６、１１８、１２０、１２２、１２４、アナログ・ディジタル（Ａ／Ｄ）変換回路１２６、１２８、１３０、１３２、１３４、駆動回路１３６、１３８、１４０、１４２、１４４、１４６、１４８、１５０、１５２、１５４、１５６、１５８等が設置され、電源回路１００には交流電源が供給される。Ｉ／Ｆ１０２〜１２４は水位センサ８４等の各種センサからの検出信号をＣＰＵ９０側に入力するための手段であり、アナログ・ディジタル変換回路１２６〜１３４は検出信号がアナログ信号の場合にディジタル信号に変換する手段であり、また、駆動回路１３６〜１５８はＣＰＵ９０の出力信号に応じて駆動出力を給湯ガス弁４２等の駆動手段に供給する手段である。
【００２０】
また、リモコン装置２０の浴室リモコン２２について、図４を参照して説明する。図４は、浴室リモコン２２の前面パネルの構成を示している。
【００２１】
この浴室リモコン２２の筐体１６２の前面パネル部１６４に表示部１６６が設置され、この表示部１６６の左右及び下側に、運転スイッチ１６８、インターホン装置のスピーカ１７０及びマイクロホン１７２、通話スイッチ１７３、給湯温度設定用の上ボタン１７４、下ボタン１７６、設定ボタン１７８、メニューボタン１８０、開始ボタン１８２、停止ボタン１８４、ふろ自動スイッチ１８６、ふろ自動表示部１９４、追焚きスイッチ１８８、追焚き表示部１９６等が設置されている。また、表示部１６６には、セグメント表示部１９０、省電力表示部１９２等の各種表示部が設定されている。
【００２２】
また、この浴室リモコン２２には、例えば、図５に示すように、制御手段及び演算手段としてＣＰＵ（Ｃｅｎｔｒａｌ  Ｐｒｏｃｅｓｓｉｎｇ  Ｕｎｉｔ  ）２００、記憶手段としてＲＯＭ（Ｒｅａｄ−Ｏｎｌｙ  Ｍｅｍｏｒｙ）２０２、ＲＡＭ（Ｒａｎｄｏｍ−Ａｃｃｅｓｓ  Ｍｅｍｏｒｙ）２０４、クロック回路２０６、音声用ＲＯＭ２０８、タイマー２０９、音声信号変調・データ変換回路２１０、音声データ送受信回路２１２、音声データ変換・復調回路２１４、制御データ送受信回路２１６、インターホン／音声切替回路２１８、音声データ出力回路２２０及びインターフェイス回路（Ｉ／Ｆ）２２１、２２２、２２３、２２４、２２５、２２６、２２７、２２８、２２９、２３０、駆動回路２３１、表示回路２３２、２３３、２３４、セグメント表示部１９０、省電力表示部１９２、ふろ自動表示部１９４、追焚き表示部１９６等が設置されている。音声信号変調・データ変換回路２１０は、ＣＰＵ２００の指示によりマイクロホン１７２の音声信号をデータ変換して変調する手段であり、その音声データは音声データ送受信回路２１２を通して本体コントローラ６に送信され、他のリモコン２４、２６との通話が行われる。他のリモコン２４、２６や本体コントローラ６からの音声信号は、音声データ送受信回路２１２を通して受信され、音声データ変換・復調回路２１４を通して復調され、スピーカ１７０から音声として出力される。制御データ送受信回路２１６は、浴室リモコン２２と本体コントローラ６との制御データの送受を行う手段である。Ｉ／Ｆ２２１〜２３０は運転スイッチ１６８等の各種スイッチからの操作信号をＣＰＵ２００側に入力するための手段である。
【００２３】
図６は、浴室リモコン２２の表示部１６６の全表示を示している。この全表示において、ふろ表示２５１は、８の字セグメント表示と「分」は入浴時間の表示である。また、給湯表示２５３は、８の字セグメント表示と「℃」は給湯温度の表示である。ふろ表示２５１側の炎マーク２３８はふろ燃焼表示であり、ふろ燃焼中に表示される。「たし湯」表示は、たし湯運転中に表示される。「ぬるく」表示はぬるく運転中に表示される。ふろ水位表示（水位バー）２４０は風呂の設定水位を表示する。「予約」表示は予約スイッチが「入」のとき表示される。「予約」時刻表示は風呂が沸く時刻を表示する。「現在時刻」表示は現在時刻を表示する。２４２は給湯燃焼表示としての炎マークであり、給湯燃焼中を表示する。省電力表示部１９２（省電力ランプ）は省電力機能の動作中に点灯する。「ポンプ」表示はポンプ運転中を表示し、「優先」表示は浴室リモコン２２に優先があるときに表示される。また、「半身浴」表示は半身浴モードにあるとき表示され、メニューバー２４４は現在設定してあるメニューの下へ表示される。また、２５５は、浴槽８への注湯を示している。
【００２４】
また、リモコン装置２０の台所リモコン２４について、図７及び図８を参照して説明する。図７は台所リモコン２４の前面パネルの構成を示し、図８は台所リモコン２４の扉を開いた前面パネル部の構成を示している。この台所リモコン２４において、浴室リモコン２２と共通部分には共通符号を付してある。
【００２５】
この台所リモコン２４の筐体２６２の前面パネル部２６４に表示部１６６が設置され、この表示部１６６の左右及び下側に、運転スイッチ１６８、インターホン装置のスピーカ１７０及びマイクロホン１７２、通話スイッチ１７３、給湯温度設定用の上ボタン１７４、下ボタン１７６、設定ボタン１７８、ふろ自動スイッチ１８６、セグメント表示部１９０等の各種表示部が設定されている。
【００２６】
また、この台所リモコン２４の前面パネル部２６４の下部には給湯温度設定用の上ボタン１７４、下ボタン１７６を備える扉２６６が設けられ、この扉２６６を開くと、前面パネル部２６４には設定スイッチ１７８、上ボタン１７４、下ボタン１７６が設置されている。また、この台所リモコン２４は、既述した図５に示す浴室リモコン２２と同様の制御部を備えているが、共通符号を付してその説明を省略する。
【００２７】
以上述べたように、半身浴スイッチとしてメニューボタン１８０及び開始スイッチ１８２が設置され、このメニューボタン１８０の操作により、表示部１６６のメニュー表示「半身浴」を選択することができる。この「半身浴」の選択と、開始スイッチ１８２の操作により、半身浴モードの水位及び湯温での湯張りが行われる。この場合、半身浴の最低水位は通常水位、即ち、全身浴の水位の最低水位より低い設定水位にシフトさせる。
【００２８】
この半身浴モードの動作を図９ないし図１１を参照して説明する。図９ないし図１１は、半身浴モードの動作を表すフローチャートである。
【００２９】
半身浴は、リラクゼーション効果のある入浴方法であり、鳩尾程度の水位と３８℃程度の温度が最適であることが知られている。この半身浴に必要な給湯においては、自動湯張りと同様に、湯張り、追焚き、足し湯を行うが、浴槽水位と湯温は全身浴とは別に設定される。全身浴モードにおいて、浴槽水位は、所定のレベル範囲例えば、３０〜６０〔ｃｍ〕の所定のレベル間隔により段階設定であり、湯温は、所定の温度範囲例えば、３７〜４８〔℃〕の所定の温度間隔により段階設定となる。また、半身浴モードにおいて、浴槽水位は、所定のレベル範囲例えば、２６〜３６〔ｃｍ〕の所定のレベル間隔により段階設定であり、湯温は所定の温度範囲例えば、３７〜４８〔℃〕の所定の温度間隔により段階設定となる。半身浴モードでは、例えば、図１２に示すように、浴室リモコン２２の表示部１６６に湯温等が表示される。
【００３０】
そこで、半身浴を行う場合、メニューモードにおいて、メニューボタン１８０により「半身浴」を選択し（ステップＳ１）、このとき、表示部１６６には「半身浴」が点滅し（図１２）、半身浴モードへの移行を報知する（ステップＳ２）。開始ボタン１８２を押すと（ステップＳ３）、機能ＯＮ受付音を発し、「半身浴」が点滅から点灯に変わり（ステップＳ４）、動作中以外の表示は消灯、「半身浴」表示及びメニューバー２４４が点灯し、メニューモードが終了する。この場合、他動作中に「半身浴」をＯＮした場合（ステップＳ５）、今まで表示していたメニューバー２４４が消灯し、「半身浴」の下に移る。ここで、半身浴モードに移行するが、操作されているリモコン装置２０の種類を判定し（ステップＳ６）、この実施形態では、浴室リモコン２２か否かを判定する。このような判定を行うのは、浴室リモコン２２の操作では設定内容の変更を可能にし、浴室リモコン２２以外では設定内容の変更を禁止し、例えば、台所リモコン２４で半身浴モードに移行する場合には即座に半身浴モードを実行することになる（ステップＳ２４〜Ｓ３２）。
【００３１】
浴室リモコン２２では、「半身浴」が点灯すると、一定時間後例えば、１秒後に『半身浴ふろ水位を変更する場合は、上下ボタンで入力して、設定ボタンを押して下さい。』を所定回例えば、２回発し（ステップＳ７）、「半身浴」の「ふろ水位」が点滅表示し、半身浴用のふろ水位変更モードになる（ステップＳ８）。
【００３２】
ふろ水位設定（ステップＳ９〜Ｓ１４）後、設定ボタン１７８を押すと、『ポッ』（所定の周波数例えば、１ｋＨｚ）音を発し（ステップＳ１５）、ふろ水位変更モードが終了する。「半身浴」の「ふろ水位」は点灯表示になる。このふろ水位変更モードが終了すると、『半身浴ふろ温度を変更する場合は、上下ボタンで入力して、設定ボタンを押して下さい。』を所定回例えば、２回を発し（ステップＳ１６）、「半身浴」の「ふろ温度」が点滅表示し、半身浴用のふろ温度変更モードになる（ステップＳ１７）。
【００３３】
ふろ温度設定後、設定ボタン１７８を押すと（ステップＳ１８〜Ｓ２２）、『ポッ』（例えば、周波数１ｋＨｚ）音を発し（ステップＳ２３）、ふろ温度変更モードが終了し、「半身浴」の「ふろ温度」が点灯表示し、半身浴モードが開始される（設定終了にて半身浴になる）。半身浴モードが開始されると、「湯」（例えば、浴槽下部の赤色バー）が左から右へ順に点灯し、『お湯張りを始めます。おふろの栓はしましたか』を所定回例えば、２回発する（ステップＳ２４）。半身浴用ふろ水位、ふろ温度変更モード中に上ボタン１７４、下ボタン１７６を押さないまま、一定時間例えば、５秒以上経過すると、変更モードを終了し、半身浴モードを開始する。この場合、上ボタン１７４又は下ボタン１７６が押された後、一定時間例えば、１０秒、上ボタン１７４又は下ボタン１７６が押されていないときは、一定時間例えば、５秒が経過すると、変更モードを終了し、半身浴モードを開始する（ステップＳ２５）。このような時間設定を行ってモード変更を行うのは、処理の迅速性と簡易性を高めるためである。
【００３４】
半身浴用ふろ水位、ふろ温度を変更中に開始ボタン１８２が押された場合には告知手段として例えば、機能ＯＮ受付音を発し、変更モードを終了し、半身浴動作を開始する。また、半身浴用ふろ水位、ふろ温度を変更中に停止ボタン１８４を押すと、告知手段として例えば、機能ＯＦＦ受付音を発し、変更モードを終了し、半身浴動作を終了する。半身浴動作中、「半身浴」表示及びそのメニューバー２４４が点灯しているとき、停止ボタン１８４を押すと、告知手段として例えば、機能ＯＦＦ受付音を発し、「半身浴」表示及びそのメニューバー２４４、「湯」表示が消灯し、半身浴動作を終了する。半身浴動作中、「半身浴」表示及びそのメニューバー２４４の点灯、消灯に拘わらず、メニューボタン１８０で「半身浴」を選択し（「半身浴」点滅中）、停止ボタン１８４を押すと、機能ＯＦＦ受付音を発し、「半身浴」表示、「湯」表示が消灯し、動作を終了する。半身浴（保温を含む）が終了すると、「半身浴」表示が消灯し、半身浴動作が終了する。
【００３５】
また、この場合、台所リモコン２４又は増設リモコン２６で半身浴動作を開始させると、「半身浴」表示及びそのメニューバー２４４が点灯し、例えば、発声予告のメロディー、『お湯張りを始めます。おふろの栓はしましたか。』を所定回例えば、２回発する。この場合、水位、湯温の変更はできない。
【００３６】
半身浴注湯の９０％が終了した時点（ステップＳ２６）で、半身浴完了予告を表すメロディーやメッセージとして、例えば、『もうすぐおふろに入れます。』を所定回例えば、２回発する（ステップＳ２７）。自動湯張りが完了すると（ステップＳ２８）、例えば、発声予告のメロディー、『おふろが沸きました。』を所定回例えば、２回発する（ステップＳ２９）。半身浴動作（保温を含む）が終了する（ステップＳ２８〜Ｓ３２）と、半身浴ＯＦＦとなるとともに、「半身浴」表示が消灯する。半身浴動作中に半身浴をＯＦＦすると、半身浴動作はこの時点で終了となり、「半身浴」表示も消灯する。
【００３７】
このような操作により半身浴が行われ、半身浴の後、ふろ自動スイッチ１８６を押すことにより、全身浴に移行することが可能である。
【００３８】
【発明の効果】
以上説明したように、本発明によれば、次の効果が得られる。
ａ  自動湯張り運転とは別に半身浴モードが設定され、全身浴モードでは通常の自動運転の設定で湯張りを行い、半身浴モードでは、半身浴設定にて自動注湯を行うことができる。２種類の設定により、特別なハードウェアの追加を伴わず、手軽に全身浴か半身浴かを行うことができる。
ｂ  入浴者が自動給湯に配慮しながら浴槽栓を開閉する等の操作が不要となり、半身浴設定で自動的に沸き上げ、半身浴を行うことができる。
【図面の簡単な説明】
【図１】本発明の実施形態に係る給湯・追焚装置の概要を示す図である。
【図２】給湯・追焚装置を示す図である。
【図３】本体コントローラの構成を示すブロック図である。
【図４】浴室リモコンの概要を示す図である。
【図５】浴室リモコンの構成を示すブロック図である。
【図６】浴室リモコンの表示部の表示内容を示す図である。
【図７】台所リモコンの概要を示す図である。
【図８】台所リモコンの扉を開いた状態を示す図である。
【図９】半身浴動作を示すフローチャートである。
【図１０】図９に続く半身浴動作を示すフローチャートである。
【図１１】図９、図１０に続く半身浴動作を示すフローチャートである。
【図１２】浴室リモコンの表示部の表示内容を示す図である。
【符号の説明】
２  給湯・追焚装置
６  本体コントローラ
８  浴槽
２０  リモコン装置
１７８  設定スイッチ（設定手段）
１８０  メニューボタン（半身浴スイッチ）
１８２  開始ボタン（半身浴スイッチ）
１８６  ふろ自動スイッチ（湯張りスイッチ）
【図１】
2004325043.tif 000003
【図２】
2004325043.tif 000004
【図３】
2004325043.tif 000005
【図４】
2004325043.tif 000006
【図５】
2004325043.tif 000007
【図６】
2004325043.tif 000008
【図７】
2004325043.tif 000009
【図８】
2004325043.tif 000010
【図９】
2004325043.tif 000011
【図１０】
2004325043.tif 000012
【図１１】
2004325043.tif 000013
【図１２】
2004325043.tif 000014